(57)【要約】      （修正有）【課題】ローラチェーンを簡単に切断及び接続することが出来る治具を提供する。【解決手段】概略コ型又は概略Ｃ型をしたフレーム１には両アーム２，３を有し、アーム３の先端部にはネジ穴を設けてネジ軸４を螺合し、アーム２の先端部に形成した平坦な内面６にはピン１４が嵌る穴を形成し、そして上記ネジ軸４の先端部を細くすると共にピン１４より僅かに細い先端８を形成し、上記アーム内面６にローラチェーンの外リンクプレート１５ａ、１５ｂを当ててネジ軸先端８にてピン先端を押圧して該ピン１４を抜取ることが出来る。【選択図】図３
0003159853.tif 000002
【実用新案登録請求の範囲】
【請求項１】
ローラチェーンを切断する為の治具において、概略コ型又は概略Ｃ型をしたフレームには両アームを有し、一方のアーム先端部にはネジ穴を設けてネジ軸を螺合し、他方のアーム先端部に形成した平坦な内面中央にはピンが嵌る穴を形成し、そして上記ネジ軸の先端部を細くすると共にピンより僅かに細い先端を形成し、上記アーム内面にローラチェーンの外リンクプレートを当ててネジ軸先端にてピン先端を押圧して該ピンを抜取ることを特徴とするローラチェーンの切断用の治具。
【請求項２】
ローラチェーンを接続する為の治具において、概略コ型又は概略Ｃ型をしたフレームには両アームを有し、一方のアーム先端部にはネジ穴を設けてネジ軸を螺合し、他方のアーム先端部には平坦な内面を形成すると共に両側に切欠き溝を設け、そして上記ネジ軸の先端に押圧部材を回転自在に配置し、押圧部材の両側には切欠き溝を形成し、上記アーム内面にローラチェーンの外リンクプレートを当て、上記押圧部材にて外リンクのピンに嵌る別の外リンクプレートを押圧してローラチェーンを接続することを特徴とするローラチェーンの切断用の治具。
【考案の詳細な説明】
【技術分野】
【０００１】
本考案はローラチェーンを接続したり又は逆に切断する際に使用する治具に関するものである。
【背景技術】
【０００２】
ローラチェーンは内リンクと外リンクが交互に接続した多節体であり、両先端が連結されて無端状となり、駆動スプロケットと従動スプロケットに巻き掛けられ、該駆動スプロケットの動力を従動スプロケット側へ伝達することが出来る。ところで、駆動スプロケットと従動スプロケット間距離が一定であれば、両スプロケットに巻き掛けする場合、該ローラチェーンが無端状であれば一旦切断して巻き掛け、その後で両先端が接続される。
【０００３】
又、両スプロケットに巻き掛けするに際して、ローラチェーンが短い場合や逆に長過ぎる場合もあり、この場合にはリンクを継足したり、逆にリンクを取外して適切な長さに調整する必要がある。駆動スプロケットと従動スプロケットに巻き掛けられるローラチェーンが長過ぎる場合には、両スプロケットが回転すると外れてしまうことがある。
【０００４】
又、ローラチェーンがダブ付いた状態で走行循環すると、伝達トルクの変動に伴って該ローラチェーンは脈動して大きな衝撃張力が発生して切断を招く。勿論、脈動により疲労強度は大きく低下する。逆に、ローラチェーンが短過ぎる場合には、両スプロケットに巻き掛けた状態で既にローラチェーンに初期張力が負荷し、この初期張力に動力伝達に必要な張力が加算された状態で走行循環することになる。
【０００５】
従って、ローラチェーンの実質引張り強度は低下し、勿論、疲労強度は大きく低下してしまう。このようなことから、ローラチェーンは長過ぎることなく、短過ぎることのない最適な長さで両スプロケットに巻き掛けされることが必要となる。
【考案の開示】
【考案が解決しようとする課題】
【０００６】
従来ではチェーンメーカー等から色々なタイプの接続及び切断治具が出されているが、作業者にとって非常に使い難いといった問題がある。本考案が解決しようとする課題はこの問題点であり、ローラチェーンの接続及び切断を手軽に行うことが出来るようにした簡単な構造の治具を提供する。
【課題を解決するための手段】
【０００７】
本考案に係るローラチェーンの接続及び切断治具は、概略コ型フレームの一方側アームにネジ軸を螺合して取付け、ネジ軸先端と他方のアームとの間にローラチェーンを挟んで接続作業並びに切断作業を行なうことが出来る。ネジ軸には外周にはネジが設けられ、一方側のアーム先端部に形成したネジ穴に螺合し、回転することで前進・後退を行なうことが出来る。
【０００８】
ところで、接続用の治具と切断用の治具の２種類が存在し、ローラチェーンを挟む他方のアーム先端部形状とネジ軸先端形状が接続用と切断用では多少異なる。
（１）切断用の治具では、他方のアーム先端内面中央にはピン先端が嵌る穴が設けられている。そして、ネジ軸先端部は先が細く成っていて、先端はピンを押圧して抜くことが出来るようにピン径より僅かに細く成っている。
【０００９】
（２）接続用の治具では、他方のアーム先端部両側にはピンの一部が嵌る切欠き溝を設けている。又切欠き溝に代わって穴とすることも可能である。そして、ネジ軸先端には押圧部材を取付けており、この押圧部材の両側には上記アーム先端部の両側に設けた切欠き溝と同じような切欠き溝又は穴を形成している。ここで、上記両側とはネジ軸を中心とした両側位置を意味している。
【考案の効果】
【００１０】
本考案の治具を使用することで、作業者はローラチェーンを駆動スプロケット及び従動スプロケットに巻き掛ける際に、該ローラチェーンを一旦切断し、そして接続することが出来る。又両スプロケットに巻き掛けたローラチェーンの長さが適切でない場合には、この治具を使ってリンクを継ぎ足したり、逆にリンクを除去する作業が可能である。
【００１１】
ところで、該治具は該略コ型フレームの一方側アーム先端部に設けたネジ穴に他方のアーム先端部に向かうネジ軸を螺合して取付けたもので、該ネジ軸を回転するならば、アーム先端部とネジ軸先端とでローラチェーンを挟み込んでピンを抜いたり、ピンを嵌入したりすることが出来る。治具は接続用と切断用の２種類があり、目的に応じて使い分される。
【図面の簡単な説明】
【００１２】
【図１】ローラチェーンの切断用治具。
【図２】ローラチェーンの接続用治具。
【図３】治具を用いてローラチェーンを切断する場合。
【図４】切断用治具のアーム先端部内面とネジ軸の先端を示す拡大図。
【図５】治具を用いてローラチェーンを接続する場合。
【図６】接続用治具のアーム先端部内面とネジ軸の先端に取付けた押圧部材を示す拡大図。
【考案を実施するための形態】
【００１３】
図１は本考案に係る切断用の治具を示す実施例であり、同図の１はフレーム、２はアーム、３はアーム、４はネジ軸、５は操作ハンドルをそれぞれ表している。フレーム１は両アーム２，３を有す概略コ型（又は概略Ｃ型）を成し、アーム２の先端部内面６の中央には穴７が設けられ、アーム３の先端部にはネジ穴が形成されて、このネジ穴に上記ネジ軸４が螺合して取付けられている。
【００１４】
ここで、ネジ軸４の先端部にネジはなく、先側が細くなると共に先端８はピンを押圧して外リンクプレートから抜くことが出来る太さと成っている。すなわち、ピンより僅かに細く成っている。所定の曲率を有す曲面にて丸く成っている。そして、ネジ軸４はアーム２の先端部に形成した穴７の方向を向いていて、操作ハンドル５を操作して回転するならば、先端８は穴７に嵌るようになる。又、アーム２の先端部内面６は平坦面を形成している。
【００１５】
図２は接続用の治具を示す実施例であり、基本構造は図１に示した切断用の治具と共通している。すなわち、概略コ型フレーム１を構成しているアーム３の先端部にはネジ軸４が取付けられ、他方のアーム２の先端部内面６は平坦面と成っている。そして、アーム２の先端部両側には切欠き溝９，９が設けられ、切欠き溝９，９はリンクを繋いでいるピンの一部が嵌る大きさと成っている。
【００１６】
そして、接続用の治具では上記ネジ軸４の先端に押圧部材１０が取付けられている。該押圧部材１０は小さいピースであるが、両側には切欠き溝１１，１１を形成し、ローラチェーンを構成しているピンの一部が嵌るように成っている。すなわち、リンクの接続に際して、リンクから両側へ突出しているピンがアーム先端部内面６及び押圧部材１０の内面１２に当らないように切欠き溝９，９，１１，１１を有している。
【００１７】
そして、上記押圧部材１０は背面に穴（図示なし）が形成されていて、ネジ軸４の先端８がこの穴に嵌って取付けられる。ただし、先端８は穴に係合して押圧部材１０を位置決めしているだけであり、手を離すと落下してしまう。すなわち、リンクを接続するに際して、ネジ軸４の先端８を外リンクプレートに直接当てて押圧したのでは該外リンクプレートが変形することから、平坦な内面１２を有す押圧部材１０が取付けられる。
【００１８】
図３は図１に示した切断用の治具を用いてローラチェーン１３を切断する場合を示している。ローラチェーン１３は無端状でエンドレスを成し、従って、２本のピン１４，１４を抜くことで外リンクが外れて切断される。ここでは、ローラチェーン１３に関しての詳細な説明は省略するが、複数の内リンクと外リンクがピン１４，１４・・・を介して接続されている。
【００１９】
該ローラチェーン１３はアーム２の内面６に外リンクプレート１５ａが当接し、外リンクプレート１５ａから突出しているピン１４は内面６に形成している穴７に嵌っている。この状態で操作ハンドル５を操作してネジ軸４が回転するならば、ネジ軸４の先端８はピン１４の先端に当接して押圧することが出来る。外リンクプレート１５ａはアーム先端部内面６に当って支えられることで、ネジ軸４がさらに回転して前進するならばピン１４は対向側の外リンクプレート１５ｂから抜かれる。従って、先端８はピン１４を押圧して外リンクプレート１５ｂから抜くことが出来るように、ピン１４より僅かに細くしている。
【００２０】
同じように、隣りのピン１５も抜かれるならば、外リンクが外されてローラチェーン１３は切断させる。すなわち、無端状でなく１本のローラチェーン１３と成る。１本のローラチェーン１３と成ったところで、所定の間隔をおいて配置されている駆動スプロケット及び従動スプロケットに巻き掛け、その後は取外した外リンクにて再び繋ぐことが出来る。
【００２１】
図４はアーム２の先端部とネジ軸４の先端８を示す拡大図である。穴７は内面６の中央に設けられ、この穴７の大きさはピン１４が嵌る内径を有し、そして深さは外リンクプレート１５を取外す為にピン１４が後退することが出来る寸法としている。従って、該穴７は先端部の背面側まで貫通して設けることも可能である。又、ネジ軸４の先端８はローラチェーン１３のピン１４より細く成っている。
【００２２】
図５は前記図２に示した接続用の治具を用いてローラチェーン１３を無端状（エンドレス状態）に繋ぐ場合を示している。１本のローラチェーン１３の両先端には内リンクが位置し、この内リンクを外リンクにて接続する訳であり、外リンクプレート１５ａから垂直に起立している２本のピン１４，１４を内リンク１６，１６のブッシュ穴に挿入し、該外リンクプレート１５ａをアーム２の先端部に形成している内面６に当接している。
【００２３】
そして、両内リンク１６，１６からは外リンクのピン１４，１４の先端が突出し、この突出しているピン１４，１４に外リンクプレート１５ｂを取付けて連結される。そこで、押圧部材１０の内面１２に外リンクプレート１５ｂを当てて押圧するが、該外リンクプレート１５ｂの両穴にピン１４，１４の先端を宛がい、操作ハンドル５を操作してネジ軸４が回転することで、外リンクプレート１５ｂを押圧してピン穴にピン１４，１４の先端を圧入する。
【００２４】
ここで、外リンクプレート１５ｂのピン穴にピン１４，１４の先端を圧入するに際してピン１４，１４の先端が邪魔にならないように、アーム先端部内面６の両側には切欠き溝９，９が形成され、又押圧部材１０の両側にも切欠き溝１１，１１を形成している。
【００２５】
図６はアーム２の先端部とネジ軸４の先端に取付けられる押圧部材１０を示す拡大図であり、アーム先端部の両側には切欠き溝９，９が設けられ、押圧部材１０の両側にも切欠き溝１１，１１を形成している。ところで、押圧部材１０はネジ軸４の先端に配置され、ローラチェーン１３を繋ぐ際に外リンクプレート１５ｂに当接して押圧するが、ネジ軸４が回転しても押圧部材１０は回転することはない。すなわち、先端８は押圧部材１０の背面側に形成した穴に嵌って位置決めして押圧するだけで、該押圧部材１０が回転することはない。
【００２６】
ところで、ローラチェーン１３を切断したり逆に接続するに際して、操作ハンドル５にてネジ軸４が回転することで該ローラチェーン１３をアーム２とネジ軸４とで挟み込むが、この際、反力としてフレーム１には非常に大きな曲げモーメントが発生し、アーム２，３の基部には曲げモーメントに基づく曲げ応力が発生する。そこで、該フレーム１は曲げ応力に耐え得るように高い剛性を備えている。又、上記ネジ軸１４に形成しているネジは台形ネジを有していて、ローラチェーン１３を切断及び接続する際の大きな押圧力に耐え得るようにしている。
【符号の説明】
【００２７】
１  フレーム
２  アーム
３  アーム
４  ネジ軸
５  操作ハンドル
６  内面
７  穴
８  先端
９  切欠き溝
10  押圧部材
11  切欠き溝
12  内面
13  ローラチェーン
14  ピン
15  外リンクプレート
16  内リンク
【図１】
0003159853.tif 000003
【図２】
0003159853.tif 000004
【図３】
0003159853.tif 000005
【図４】
0003159853.tif 000006
【図５】
0003159853.tif 000007
【図６】
0003159853.tif 000008